(57)【要約】ステンシル印刷タイプのプリンタと関連する装置において、印刷ステーションからＵＶ光線処理ステーション（２０）まで用紙のような被印刷物を搬送するコンベヤであって、前記処理ステーションの前で終り、前記用紙を前記処理ステーションまで搬送する手段を含むコンベヤと、処理の後前記用紙を取り外す手段とを含む装置が提供される。
2006509646.tif 000002
【特許請求の範囲】
【請求項１】
印刷ステーションから処理ステーションまで用紙あるいはその他の被印刷物を搬送するコンベヤを含むプリンタと関連するようにされた装置において、
前記コンベヤが前記処理ステーションの前で終り、
前記プリンタに使用されるインクが十分硬化するように用紙あるいはその他の被印刷物がＵＶ光線によって照射される処理ステーションまで用紙あるいは被印刷物を搬送する手段を含むコンベヤと、前記用紙あるいは被印刷物を取り出す手段とを含むことを特徴とするプリンタと関連するようにされている装置。
【請求項２】
前記処理ステーションは、前記用紙あるいは被印刷物が前記コンベヤから解放されると、前記用紙あるいは被印刷物を所望のＵＶ照射位置へ受取る真空ベッドを含むことを特徴とする請求項１に記載の装置。
【請求項３】
前記用紙を前記コンベヤから解放させ、所定位置へ該用紙を引っ張るニップローラが前記処理ステーションの出口に位置されていることを特徴とする請求項１および２のいずれか１項に記載の装置。
【請求項４】
１個以上の熱センサがＵＶランプの下方に位置され、前記ランプが所定の昇温温度に達すると前記ランプを非作動とするようにされていることを特徴とする請求項１から３までのいずれか１項に記載の装置。
【発明の詳細な説明】
【技術分野】
【０００１】
本発明はステンシル印刷タイプ（ｓｔｅｎｃｉｌ  ｐｒｉｎｔｉｎｇ  ｔｙｐｅ）のコピープリンタ（ｃｏｐｙｐｒｉｎｔｅｒ）に関するものである。
【背景技術】
【０００２】
所謂油脂インク（ｇｒｅａｓｅ  ｉｎｋｓ）を使用することの欠点の一つは溶剤の不十分な蒸発（ｉｎｃｏｍｐｌｅｔｅ  ｆｌａｓｈｉｎｇ）によりコピーが汚れる傾向のあることである。
【０００３】
紫外線（ＵＶ）で硬化しうるインクを調製し、かつ使用することが大いに注目されてきているが、このインクはこの問題を排除するが、成功を収めるには調合に慎重を期する必要がある。
【０００４】
そのようなインクは一般に、所定のＵＶ周波数によって光開始剤（ｐｈｏｔｏ  ｉｎｉｔｉａｔｏｒ）を活性化することで重合化が可能なモノマーのマトリックスを含み、それに、顔料や、例えば可塑剤、粘度調整剤などのような通常の添加剤が添加される。モノマーの混合物は印刷インクとして使用され、それが次いで面に移され、次いでＵＶによって照射されて硬化時間を迅速化し、裏写り（ｏｆｆｓｅｔｔｉｎｇ）あるいは重複（ｄｏｕｂｌｉｎｇ）やその他の許容し得ない印刷上の特性を阻止し、有害な蒸気や腐食、皮膚の刺激などを排除し、適切な適用に対して理論的な物性を選択できるようにする。
【０００５】
これらのインクの例として、硬質で乾式の印刷を実現するように、選択した波長のＵＶ光線によって活性することが可能な選択された光開始剤によって重合化が可能である適当なモノマーを含むインクを挙げることができる。エポキシモノマーは、ＵＶによる照射で分解してエポキシ化合物の重合化を開始させるルイス酸（Ｌｅｗｉｓ  ａｃｉｄ）の形態で触媒を産出する芳香性のジアゾニウム塩を用いて、使用することができる。
【０００６】
インクの調合（ｆｏｒｍｕｌａｔｉｏｎ）は印刷工程における一局面である。別の局面は、印刷作業がうまくいくことができて、かつ概略前述した欠点を無効にするか、あるいは少なくとも大きく低減する装置を選択することである。
【０００７】
南アフリカ共和国特許第９７／１１０７７号（ＲＳＡ  Ｐａｔｅｎｔ  ９７／１１０７７）において、インクの裏写りの問題を克服するために乾燥工程あるいはその他の処理工程を必要とするデジタル複写器（ｄｉｇｉｔａｌ  ｄｕｐｌｉｃａｔｏｒ）の出力側からコピーを直接受取る室を含む装置が記載されている。前記室はＵＶあるいはその他の処理装置を含んでいる。
【０００８】
この発明の一形態においては、前記室を通して無端コンベヤが設けられており、その曳行側のローラは中空でかつ穿孔されていて、コンベヤの下方にある手段によって真空となり、９０度以上回転した後その真空を破るか、あるいは別の方法で用紙を解放するようにされている。
【０００９】
このコピープリンタは大いに成功を収めたが、何らかの理由でプリンタが故障する危険性があり、ベルトが止まってしまい、冷却装置が切られ、ランプがついたままのような状態が発生しうる。ベルトは高温でＵＶランプに晒され、激しい損傷を受ける。
【００１０】
このような状態は適当なセンサや安全回路などを具備することによって監視することは可能であるが、これは複雑でかつ高価になる。熱センサはベルトの過熱を阻止するに十分迅速には反応せず、これらは短時間後に燃え上がることもある。
【発明の開示】
【発明が解決しようとする課題】
【００１１】
本発明の目的はコピープリンタのベルトに対する熱による損傷の可能性を排除するか、あるいは少なくとも大きく低減することである。
【００１２】
本発明の別の目的は前述したインクの利点を補完する装置を提供することである。
【００１３】
本発明のさらに別の目的は、毒性の蒸気、皮膚の刺激、および腐食を無効にするかまたは少なくとも大きく減少し、また当該装置からの過剰のＵＶ放射を無効にする装置を提供することである。
【課題を解決するための手段】
【００１４】
本発明によると、プリンタと関連した装置は、印刷ステーションから処理ステーションまで用紙（あるいはその他の被印刷物（ｓｕｂｓｔｒａｔｅ））を搬送するベルトであって、該コンベヤが前記処理ステーションの前で終り、前記用紙あるいは被印刷物を前記処理ステーションまで搬送する手段を含むベルトと、処理の後前記用紙あるいは被印刷物を取り出す手段とを含む。
【００１５】
本発明の好適形態において、前記処理ステーションは真空ベッドを含み、該真空ベッドは用紙がコンベヤから解放されると、該用紙を所望の処理位置へ受取る。
【００１６】
処理ステーションの出口にはニップローラを位置させてよく、これらのニップローラはコンベヤから用紙を解放し、該用紙を所定の位置へ引っ張るよう作用する。
【００１７】
本装置はベルトが処理ランプの下方を走行するのを避け、従って火災の機会を低減するか、あるいは排除する。更に、ランプが所定の昇温温度に達すると該ランプを非作動とするように熱センサをランプの下方に位置させることができる。
【００１８】
また、ニップローラは処理ステーションの出口からＵＶ光線が何ら漏洩しないよう阻止する。このことは更に別の安全要素を構成する。
【００１９】
添付図面を参照して本発明の実施例を以下説明する。
【発明を実施するための最良の形態】
【００２０】
図において、コンベヤ１０は真空ベッド１６を亘ってローラ１２，１４上を走行する。
【００２１】
ローラ１４は、ボックス２４内でランプ２２を含む処理ステーション２０の入口１８に位置している。
【００２２】
真空ベッド３０はランプの下方に位置しており、真空が付与されている真空ベッド３０を亘って用紙を引っ張るニップローラ３２によってコンベヤから用紙を受取り、該用紙はＵＶ処理するための位置にしっかりと位置される。この処理が完了すると、真空は解除され、用紙はニップローラを介して取り外される。
【００２３】
本装置に使用されるインクは例えば米国特許第４，０５６，４５３号、同第５，６５８，９６４号、同第５，７４９，９５０号および同第５，９８５，９８４号（ＵＳ  Ｐａｔｅｎｔｓ  ４０５６４５３，  ５６５８９６４，  ５７４９９５０  ａｎｄ  ５９８５９８４）に記載されているもののような市販のインクのいずれでもよい。本発明による装置に対して有用であることが判明しているその他のインクとしては、英国（ｔｈｅ  Ｕｎｉｔｅｄ  Ｋｉｎｇｄｏｍ）のセリコール社（Ｓｅｒｉｃｏｌ  Ｌｔｄ）によってＳＥＲＩ  ＩＮＫの商標で販売されているものを含む。
【図面の簡単な説明】
【００２４】
【図１】本発明による装置の側面図である。
【図２】本発明による装置の平面図である。
【図３】本発明による装置の端面図である。
【図１】
2006509646.tif 000003
【図２】
2006509646.tif 000004
【図３】
2006509646.tif 000005
【国際調査報告】
2006509646.tif 000006
2006509646.tif 000007